(57)【要約】【課題】センサ部の検知により容易に操作できる上部照明と正面照明を備える照明付きの鏡装置を提供すること。【解決手段】ミラー部２及び照明装置４を備える照明付き鏡装置１であって、照明装置４は、ミラー部２の上部に配置される上部照明４１０と、ミラー部２の正面に配置される正面照明４２０と、物体の近接及び／又は動きを検知するセンサ部４２と、センサ部４２の検知結果に応じて、上部照明４１０及び正面照明４２０の点灯と消灯を個別に制御する制御部４３と、を有し、制御は単一のセンサ部４２にて行う照明付き鏡装置１である。【選択図】図４
2018089182.tif 000002
【特許請求の範囲】
【請求項１】
ミラー部及び照明装置を備える照明付き鏡装置であって、
前記照明装置は、
前記ミラー部の上部に配置される上部照明と、
前記ミラー部の正面に配置される正面照明と、
物体の近接及び／又は動きを検知するセンサ部と、
前記センサ部の検知結果に応じて、前記上部照明及び前記正面照明の点灯と消灯を個別に制御する制御部と、を有し、前記制御は単一のセンサ部にて行う照明付き鏡装置。
【請求項２】
前記制御部は、前記上部照明及び前記正面照明のいずれかのみを点灯させるように制御する請求項１に記載の照明付き鏡装置。
【請求項３】
前記制御部は、前記センサ部が検知し続けた時間に応じて、前記上部照明及び前記正面照明それぞれ個別に、調光及び調色のうち少なくとも一方を行う請求項１又は２に記載の照明付き鏡装置。
【発明の詳細な説明】
【技術分野】
【０００１】
本発明は、照明付き鏡装置に関する。
【背景技術】
【０００２】
従来、洗面化粧台等に設けられるミラーキャビネット等の照明付き鏡装置において、ミラー部の周囲に照明装置が配置されている。また、このような照明付き鏡装置において、照明装置が、人間等の物体が近づいたことを検知するセンサ部を含んでおり、センサ部の検知範囲に人体等の物体が近づくと、近づいた距離に応じて、照明を調光するように構成する技術が提案されている。（例えば、特許文献１参照）。
【０００３】
ところで、照明付きの鏡装置において、ミラー部の正面だけでなく、上部にも照明を配置し、ミラー部の前に位置する人等に上部及び正面から照明を当てて人物等をはっきり映すように構成する場合がある。この場合、照明装置は、上部照明及び正面照明を備える。
【先行技術文献】
【特許文献】
【０００４】
【特許文献１】特開２０１３−２５５６８７号公報
【発明の概要】
【発明が解決しようとする課題】
【０００５】
上部照明及び正面照明を備える照明装置の点灯や調光等を、センサ部の検知結果により行う場合、上部照明の制御を行うためのセンサ部と、正面照明の制御を行うためのセンサ部との両方が必要となる。この場合、センサ部を二つ近接して配置すると、検知範囲が重複してしまい、別々の制御が難しいという問題があった。一方、センサ部を離して配置すると、使用者にとって操作がわかりにくいという問題があった。
【課題を解決するための手段】
【０００６】
上記目的を達成するため本発明は、ミラー部（例えば、後述のミラー部２）及び照明装置（例えば、後述の照明装置４）を備える照明付き鏡装置（例えば、後述のミラーキャビネット）であって、前記照明装置は、前記ミラー部の上部に配置される上部照明（例えば、後述の上部照明４１０）と、前記ミラー部の正面に配置される正面照明（例えば、後述の正面照明４２０）と、物体の近接及び／又は動きを検知するセンサ部（例えば、後述のセンサ部４２）と、前記センサ部の検知結果に応じて、前記上部照明及び前記正面照明の点灯と消灯を個別に制御する制御部（例えば、後述の制御部４３）と、を有し、前記制御は単一のセンサ部にて行う照明付き鏡装置を提供する。
【０００７】
前記制御部は、前記上部照明及び前記正面照明のいずれかのみを点灯させるように制御することが好ましい。
【０００８】
前記制御部は、前記センサ部が検知し続けた時間に応じて、前記上部照明及び前記正面照明それぞれ個別に、調光及び調色のうち少なくとも一方を行うことが好ましい。
【発明の効果】
【０００９】
本発明によれば、センサ部の検知により容易に操作できる上部照明と正面照明を備える照明付きの鏡装置を提供することができる。
【図面の簡単な説明】
【００１０】
【図１】本実施形態のミラーキャビネットが設けられた洗面化粧台の正面側斜視図である。
【図２】本実施形態のミラーキャビネットの斜視図である。
【図３】図１のＡ−Ａ断面図である。
【図４】本実施形態の照明装置の上部照明優先モードにおける制御手順のフローチャートである。
【図５】本実施形態の照明装置の同時点灯モードにおける制御手順のフローチャートである。
【発明を実施するための形態】
【００１１】
図１は、本実施形態に係る照明付き鏡装置としてのミラーキャビネット１が設けられた洗面化粧台１００の正面側斜視図である。洗面化粧台１００は、ミラーキャビネット１と、洗面カウンター７と、下部キャビネット８と、を有する。
洗面カウンター７は、上部が開口して水を受ける凹部を有する洗面ボウル７１と、洗面ボウル７１が配置されるカウンター部７２と、水栓７３とを有する。
下部キャビネット８は、洗面カウンター７の下部に配置される。下部キャビネット８は、水栓７３及び洗面ボウル７１の排水口から延びる配管を収納するとともに、周囲に収納空間を有する。
【００１２】
図２は、ミラーキャビネット１の斜視図である。
ミラーキャビネット１は、図２に示すように、洗面化粧台１００の洗面ボウル７１の奥側で洗面ボウル７１よりも上部に配置される鏡付きの収納部である。ミラーキャビネット１は、ミラー部２と、キャビネット本体３と、照明装置４と、表示板５と、を有する。
【００１３】
ミラー部２は、ミラーキャビネット１の前面に配置され、長方形の鏡が三枚連続して形成される三面鏡である。ミラー部２は、ミラーキャビネット１における開閉可能な扉として機能する。ミラー部２は、第１ミラー扉２１、第２ミラー扉２２及び第３ミラー扉２３と、を有する。
第１ミラー扉２１は、幅方向の中央に配置され、三枚のうち最も面積の広い鏡である。
第２ミラー扉２２及び第３ミラー扉２３は、第１ミラー扉２１の左右方向両側にそれぞれ配置され、第１ミラー扉２１の幅よりも狭い。第１ミラー扉２１、第２ミラー扉２２及び第３ミラー扉２３は、幅方向の一方側にヒンジ部（図示せず）が配置され、ヒンジ部を回転させることで他方側を開閉するように構成されている。
【００１４】
図３は図１のＡ−Ａ断面図である。
キャビネット本体３は、図３に示すように、ミラー部２の裏側に配置され、ミラー部２と対応する寸法を有する収納棚である。キャビネット本体３は、それぞれが板状の部材で構成される背板部３１と、側面部３２と、底面部３３と、天面部３４と、複数の棚板３５と、を有する。また、図１及び図２に示すように、キャビネット本体３は、第１収納棚３１０と、第２収納棚３２０と、第３収納棚３３０と、を有する。
【００１５】
背板部３１は、洗面化粧台１００が配置される空間の壁面に沿って配置され、ミラー部２全体の裏側に位置する。
【００１６】
側面部３２は、ミラー部２の上下方向に全部で四枚配置される。すなわち、側面部３２は、キャビネット本体３の左右方向両端部に位置する外側側面部３２ａ、３２ｄと、第１ミラー扉２１の左右方向両端部に位置し、第１ミラー扉２１と第２ミラー扉２２、及び第１ミラー扉２１と第３ミラー扉２３それぞれの間を区切る仕切り側面部３２ｂ及び３２ｃとを有する。側面部３２ａ〜３２ｄにより、第１ミラー扉２１、第２ミラー扉２２及び第３ミラー扉２３の裏側に、三つに分割された第１収納棚３１０、第２収納棚３２０及び第３収納棚３３０が形成される。
【００１７】
底面部３３は、背板部３１の下端部に配置され、背板部３１から背板部３１に直交する手前方向へ延びる一枚の板材である。底面部３３は、第１ミラー扉２１の下面にのみ配置されており、第２ミラー扉２２及び第３ミラー扉２３の下面には配置されていない。底面部３３は、後述するように、センサ部４２が取り付けられる取り付け面となる。
【００１８】
天面部３４は、背板部３１の上端部に配置され、背板部３１から背板部３１に直交する手前方向へ延びる一枚の板面である。
【００１９】
棚板３５は、外側側面部３２ａ、３２ｄ及び仕切り側面部３２ｂ、３２ｃの間に略水平方向に延びるように渡される板材である。棚板３５は、固定されていてもよく、使用者によって任意の位置に配置を変更できるように構成されてもよく、その両方を含む構成であってもよい。
【００２０】
なお、図２に示すように、第三収納棚３３０の下方には、電気機器用の差し込みプラグ穴６（コンセント）が配置されている。
【００２１】
照明装置４は、キャビネット本体３に取り付けられて、ミラー部２を照らす装置である。照明装置４は、上部照明４１０と、正面照明４２０と、を有する。また、照明装置４は、上部照明４１０及び正面照明４２０を発光させる発光部４１と、センサ部４２と、制御部４３と、電源基板４７と、を有する。
また、照明装置４は、後述するように、複数の運転操作モードを有する。照明装置４は、使用者が選択した所定の操作モードにより点灯、消灯及び調光又は調光を行うように制御される。
【００２２】
上部照明４１０は、図２に示すように、天面部３４における第１ミラー扉２１の上部に配置される。上部照明４１０は、第１ミラー扉２１の鏡面から前方へ突出している。
正面照明４２０は、ミラー部２の正面に配置される。詳細には、正面照明４２０は、第１ミラー扉２１、第２ミラー扉２２及び第３ミラー扉２３それぞれの境界に上下方向に延びるように配置される。正面照明４２０は、仕切り側面部３２ｂ、３２ｃに取り付けられる照明カバーの内部に、以下に説明する発光部４１が配置されることで構成される。正面照明４２０は、上部照明４１０によって上部から光が照らされることで、ミラー部２に映る使用者の姿に影ができるところを、正面からも光を当てて消すことで、ミラー部２に映る使用者の姿全体を明るくする。
【００２３】
発光部４１は、上部照明４１０及び正面照明４２０に配置されるＬＥＤ素子である。発光部４１は、上部照明４１０及び正面照明４２０内に配置された基板に取り付けられる。
【００２４】
電源基板４７は、図３に示すように、第１収納棚３１０の内部で、仕切り側面部３２ｂの内側に配置されている。電源基板４７は、照明装置４を作動させる電源ボタン４７１と、操作モードを切り替える操作モード切替ボタン４７２と、を有する。
【００２５】
センサ部４２は、人間等の物体の近接及び動きを検知する赤外線センサであり、使用者がセンサ部４２に手をかざす動きを検知する。センサ部４２は、例えば、近赤外線反射検出方式の赤外線センサである。センサ部４２は、図２に示すように、ミラー部２よりも下方に配置される。センサ部４２は、第１収納棚３１０の底面部３３で、第１ミラー扉２１の鏡面よりも奥側、すなわち背板部３１側に配置されている。
【００２６】
図３に示すように、センサ部４２は、底面部３３の奥行方向における略中央部から斜め下方を向いて配置されており、検知範囲Ｓ１を有する。
検知範囲Ｓ１は、この範囲で使用者が手指をかざすと、センサ部４２が人体等の物体の接近を正常に検知する範囲である。検知範囲Ｓ１は、センサ部４２から円錐状に外側に向かって広がるように設定されており、広範囲にわたっているが、第１ミラー扉２１のミラー部２より前には出過ぎないように設定されている。
【００２７】
表示板５は、第１ミラー扉２１の下縁の幅方向における一方側に設けられる。表示板５は、センサ部４２の位置を示す目印である。表示板５は、略台形形状で、下底が第１ミラー扉２１の下縁に沿うように配置される。表示板５は、第１ミラー扉２１の下端部に接着されて取り付けられる。
【００２８】
制御部４３は、仕切り側面部３２ｂ及び３２ｃの上端部に配置される基板に配置されるＣＰＵである。制御部４３は、予めいくつかの操作モードを記憶しており、使用者が選択した操作モードによって、照明装置４の操作パターンを切り替える。制御部４３は、使用者の手の動きをセンサ部４２が検知し続けた時間の長さに応じて、照明装置４の発光部４１の光の強さを調整する。すなわち、単一の制御部４３が、センサ部４２の検知した、使用者が手をかざし続けた時間に応じて、上部照明４１０及び正面照明４２０内の発光部４１の照度を制御する。これにより、制御部４３は、照明の調光を行う。
【００２９】
操作モードは、電源基板４７にある操作モード切替ボタン４７２を、所定長さ長押しすることで、予めプログラムされているモードを切り替えることができる。所定長さとは、例えば、６秒以上を例示できる。
【００３０】
図４は、本実施形態の上部照明優先モードにおける制御手順のフローチャートである。図４を参照して、上部照明優先モードの制御手順を説明する。
【００３１】
まず、使用者は、照明装置４の上部照明４１０及び正面照明４２０が消灯している状態から、照明装置４を点灯させようとするとき、センサ部４２に手をかざす。
ステップＳ１において、制御部４３は、センサ部４２が使用者の手を検知したか否かを判断する。
ステップＳ２において、センサ部４２が使用者を検知した場合、上部照明４１０及び正面照明４２０を点灯する。このとき、正面照明４２０は、光の強さを０％で点灯する。すなわち、正面照明４２０は点灯されるが、照度をゼロに設定されており、実質的には発光部４１は光を発していないため、消灯している。
なお、センサ部４２が使用者を検知しない場合は、正面照明４２０はそのまま消灯し続ける。
【００３２】
次に、ステップＳ３において、制御部４３は、センサ部４２による使用者の検知が、Ｔ０以上継続したか否かを判断する。
ステップＳ４において、制御部４３は、センサ部４２の検知が、Ｔ０未満であったと判断した場合、正面照明４２０の照度はゼロのままに確定される。よって、上部照明４１０が点灯し、正面照明４２０のみ消灯した状態で終了する。このように、制御部４３は、センサ部４２の検知結果に応じて上部照明４１０及び正面照明４２０を個別に制御し、上部照明４１０のみを点灯させるように制御する。
【００３３】
次に、ステップＳ５において、センサ部４２の検知がＴ０以上継続した場合、制御部４３は、さらにＴ１以上継続したか否かを判断する。
【００３４】
ステップＳ６において、センサ部４２の検知が、Ｔ１未満であったと判断した場合、制御部４３は、上部照明４１０を点灯したまま正面照明４２０の光の強さを上げ、弱に変更する。そして、正面照明４２０の照度は弱に確定され、終了する。
【００３５】
次に、ステップＳ７において、センサ部４２の検知がＴ１以上継続した場合、制御部４３は、さらにＴ２以上継続したか否かを判断する。
【００３６】
ステップＳ８において、センサ部４２の検知が、Ｔ２未満であったと判断した場合、制御部４３は、上部照明４１０を点灯したまま正面照明４２０の光の強さを上げ、中に変更する。そして、正面照明４２０の照度は中に確定され、終了する。
【００３７】
次に、ステップ９において、センサ部４２の検知がＴ２以上継続した場合、制御部４３は、上部照明４１０を点灯したまま正面照明４２０の光の強さを上げ、強に変更する。そして、正面照明４２０の照度は強に確定され、終了する。このように、制御部４３は、正面照明４２０の調光を個別に行う。
【００３８】
上部照明優先モードは、ループしない。照度が確定した後、センサ部４２が新たに使用者を検知するまで、照明装置４は点灯を続ける。照度が確定した後、センサ部４２が再び使用者を検知すると、上部照明４１０及び正面照明４２０は同時に消灯する。
上部照明優先モードにおいて、Ｔ０は、例えば０．５秒であってよい。また、Ｔ１及びＴ２は、それぞれ、例えば１秒であってよい。
【００３９】
図５は、本実施形態の同時点灯モードにおける制御手順のフローチャートである。図５を参照して、同時点灯モードの制御手順を説明する。
まず、使用者は、照明装置４の上部照明４１０及び正面照明４２０が消灯している状態から、照明装置４を点灯させようとするとき、センサ部４２に手をかざす。
ステップＳ１において、制御部４３は、センサ部４２が使用者の手を検知したか否かを判断する。
ステップＳ２において、センサ部４２が使用者を検知した場合、上部照明４１０及び正面照明４２０を点灯する。このとき、正面照明４２０は、光の強さを弱で点灯する。
なお、センサ部４２が使用者を検知しない場合は、そのまま消灯し続ける。
【００４０】
次に、ステップＳ３において、制御部４３は、センサ部４２による使用者の検知が、Ｔ１以上継続したか否かを判断する。
ステップＳ４において、制御部４３は、センサ部４２の検知が、Ｔ１未満であったと判断した場合、正面照明４２０の照度は弱に確定され、終了する。
【００４１】
次に、ステップＳ５において、センサ部４２の検知がＴ１以上継続した場合、さらにＴ２以上継続したか否かを判断する。
【００４２】
ステップＳ６において、センサ部４２の検知が、Ｔ２未満であったと判断した場合、制御部４３は、上部照明４１０を点灯したまま正面照明４２０の光の強さを上げ、中に変更する。そして、正面照明４２０の照度は中に確定され、終了する。
【００４３】
次に、ステップ７において、センサ部４２の検知がＴ２以上継続した場合、制御部４３は、上部照明４１０を点灯したまま正面照明４２０の光の強さを上げ、強に変更する。そして、正面照明４２０の照度は強に確定され、終了する。
【００４４】
同時点灯モードは、ループしない。照度が確定した後、センサ部４２が新たに使用者を検知するまで、照明装置４は点灯を続ける。照度が確定した後、センサ部４２が使用者を検知すると、上部照明４１０及び正面照明４２０は同時に消灯する。
同時点灯モードにおいて、Ｔ１及びＴ２は、それぞれ、例えば１秒であってよい。
【００４５】
なお、図示を省略するが、上部照明優先モードにおいて、正面照明４２０を消灯（０％点灯）する段階と、弱に点灯する段階との間に、微弱の段階を含めるようにしてもよい。
【００４６】
また、正面照明４２０を消灯（０％点灯）した状態の後、正面照明４２０を、弱中強の段階ではなく、徐々に光が強くなるように構成した無段階モードを含めるようにしてもよい。無段階モードでは、センサ部４２で検知した時間の長さと、検知した時間の長さに対応又は比例する電流量を予め定めておき、センサ部４２が使用者の手を検知する時間の長さに応じて、制御部４３が調光する。無段階モードでは、使用者が調光中に手を放した時点で照度が確定し、その後新たに手を検知した場合、上部照明４１０及び正面照明４２０の両方を同時に消灯する。
【００４７】
本実施形態によれば、以下の効果が奏される。
本実施形態では、ミラー部２及び照明装置４を備えるミラーキャビネット１において、照明装置４を、ミラー部２の上部に配置される上部照明４１０と、ミラー部２の正面に配置される正面照明４２０と、物体の近接及び／又は動きを検知するセンサ部４２と、センサ部４２の検知結果に応じて、上部照明４１０及び正面照明４２０の点灯と消灯を個別に制御する制御部４３と、を含んで構成し、制御を単一のセンサ部４２にて行うようにした。
本実施形態によれば、単一のセンサ部４２により、上部照明４１０及び正面照明４２０の点灯と消灯とを個別に制御することができる。このため、センサ部４２を複数配置する必要がなく、上部照明４１０及び正面照明４２０の制御を非接触で行う際に、操作部を一か所にすることができる。よって、容易に操作することができる。
【００４８】
本実施形態によれば、制御部４３を、上部照明４１０及び正面照明４２０のいずれかのみを点灯させるように制御するように構成した。これにより、正面照明４２０がまぶしいので不要であると感じる使用者が、上部照明４１０のみを点灯させることができ、使用者の希望に応じて照明装置４を容易に操作できるようになる。
【００４９】
本実施形態によれば、制御部を、センサ部４２が検知し続けた時間に応じて、上部照明４１０及び正面照明４２０それぞれ個別に、調光及び調色のうち少なくとも一方を行うように構成した。これにより、点灯及び消灯のみならず、正面照明４２０の調光や調色を行うこともできるため、より使用者の希望に応じて照明装置４を容易に操作できるようになる。
【００５０】
なお、本発明は上記実施形態に限定されるものではなく、本発明の目的を達成できる範囲での変形、改良等は本発明に含まれる。
例えば、上記実施形態では、発光部４１の照度を変更することで調光を行うことを例として説明したが、これに限られない。発光部において異なる色味のＬＥＤ素子を段階的に並べ、色味を昼光色・昼白色・白色・温白色・電球色等に変更可能に構成してもよい。また、操作モードを増やし、調光及び調色の両方を行うように構成してもよい。
【００５１】
また、上記実施形態では、手をかざすことにより人が接近したことを検知しているが、これに限られない。例えば、センサ部の前で手を振る動作により検知してもよい。すなわち、手がセンサ部の前を横切るように数回移動することで、センサ部の検知状態と非検知状態の移行に応じて、照明の調光及び調色のうち少なくとも一方を行うように構成してもよい。また、手をかざす動作及び手を振る動作の両方の動作で検知するように構成してもよい。
【００５２】
また、上記実施形態では、上部照明優先モードのＴ０を０．５秒、Ｔ１及びＴ２を１秒、上部照明優先モードのＴ１及びＴ２を１秒、として説明したが、これに限られない。Ｔ０〜Ｔ２は、仕様に応じて適宜設定されてよい。また、Ｔ１及びＴ２は、同じ値でなく、異なっていてもよい。さらに、使用者が自由に設定できるように構成してもよい。
【００５３】
また、上記実施形態では、上部照明４１０の調光及び調色はしていないが、上部照明４１０の照度や色味を変更可能に構成し、上部照明４１０及び正面照明４２０をそれぞれ個別に制御してもよい。
また、上記実施形態では、洗面化粧台１００等に設けられるミラーキャビネット１を例に挙げて説明したが、これに限られない。照明付き鏡装置は、ミラー部と照明装置を備えていればよく、キャビネット本体のような収納部を有さない平坦な鏡体に照明装置を設けたものであってもよい。
【符号の説明】
【００５４】
１      ミラーキャビネット（照明付き鏡装置）
２      ミラー部
４      照明装置
４２    センサ部
４３    制御部
４１０  上部照明
４２０  正面照明
【図１】
2018089182.tif 000003
【図２】
2018089182.tif 000004
【図３】
2018089182.tif 000005
【図４】
2018089182.tif 000006
【図５】
2018089182.tif 000007